【事件の表示】
　特願２０００−３０４５２５「ワイヤレス移動体ユニットの位置を決定する方法および装置」拒絶査定不服審判事件〔平成１３年　５月２９日出願公開、特開２００１−１４７２６２〕について、次のとおり審決する。
【結　論】
　本件審判の請求は、成り立たない。
【理　由】
１．手続の経緯・本願発明
　本願は、平成１２年１０月４日の出願（優先権主張日：１９９９年１０月５日、米国）であって、明細書の特許請求の範囲について平成２２年１２月９日付けで補正がなされ（以下、「補正１」という。）、平成２３年同月１２日付け（送達：同年１月１９日）で拒絶査定がなされ、これに対し、同年５月１９日に拒絶査定不服審判が請求されたものである。
  そして、本願の請求項１ないし２９に係る発明は、補正１によって補正された明細書及び図面の記載からみて、その特許請求の範囲の請求項１ないし２９に記載された事項により特定されるとおりのものと認められるところ、その請求項１５に係る発明は次のとおりである。 
「単一の基地局からの信号測定値を使用してワイヤレス移動体ユニットの位置を決定するための装置において、
　前記ワイヤレス移動体ユニットと前記ワイヤレス移動体ユニットから信号を受信する基地局に属するマルチセクタアンテナとの間の距離を決定するように適合された信号決定デバイスと、
　受信された前記信号の別個のアンテナセクタ信号測定値を使用して前記信号の到着角度を決定するように適合され、かつ前記決定された距離および前記受信された信号の角度に基づいて、前記受信された信号からワイヤレス移動体ユニットの位置を決定するように適合された位置計算器と、
　前記マルチセクタアンテナからの前記受信した信号の前記アンテナセクタ測定値を記憶するように適合されたルックアップテーブル（ＬＵＴ）とを有し、前記別個のアンテナセクタ信号測定値の組み合わせが角度測定値に対応することを特徴とする装置。」（以下、「本願発明」という。）。 
　
２．引用例記載の事項・引用発明
　これに対して、原査定の拒絶の理由に引用され、本願優先権主張日前である平成１１年２月２５日に頒布された刊行物である国際公開第９９/０９７７８号（以下、「引用例」という。）には、METHOD AND SYSTEM FOR DETERMINING THE POSITION OF MOBILE RADIO TERMINALS（移動体無線端末の位置を決定する方法およびシステム）（発明の名称）に関し、次の事項（ａ）〜（ｃ）が図面とともに記載されている。
　以下において、訳文は、引用例のパテントファミリーである特表２００１−５１６１９４号公報によった。
（ａ）“ In a second embodiment of the present invention, the mobile terminal position determination method and apparatus described above is supplemented by a ModRX performing DOA measurements, which are reported the same way as the TOA measurements described above. The DOA measurements are provided as input parameters to the position determination algorithm in the SN. If both TOA and DOA measurements are available for use in the position determination algorithm, only one radio BS reporting measurements of a radio channel is needed to obtain an unambiguous position determination result （e.g. using the intersection of the TOA distance circle and the line indicating the DOA）.”（７頁１０行〜１８行）
（訳文）「【００２５】本発明の第２実施例においては、上述の移動体端末位置の決定方法および装置が、ＤＯＡ測定を行うＭｏｄＲＸにより補足され、このＤＯＡ測定値は、上述のＴＯＡ測定値と同様にして報告される。ＤＯＡ測定値は、ＳＮにおける位置決定アルゴリズムへ入力パラメータとして供給される。もしＴＯＡおよびＤＯＡの測定値の双方が、位置決定アルゴリズムにおける使用のために得られるならば、（例えば、ＴＯＡ距離の円と、ＤＯＡを表示する線との交点を用いて）あいまいさのない位置決定結果を得るために、無線チャネルの測定値を報告する無線ＢＳは１つのみ必要となる。」
（ｂ）“In accordance with the present invention, the position determination uplink measurements carried out by the BSs may include temporal （e.g., TOA） and angular measurements. The TOA measurements constitute a preferred method of measurement. However, angular measurements may be used to supplement the TOA measurements, in particular if a BS is equipped with adaptive antennas （antenna arrays）which readily enable the estimation of the DOA of signals from a mobile terminal. The mobile terminal's position can be estimated from the TOA and/or DOA measurements performed in one BS. ”（１２頁３行〜１０行）
（訳文）「【００４２】本発明によれば、ＢＳにより行われる位置決定アップリンク測定は、時間的（例えば、ＴＯＡ）測定と、角測定と、を含みうる。ＴＯＡ測定は、好ましい測定方法を構成する。しかし、角測定は、特にもしＢＳが、移動体端末からの信号のＤＯＡの推定を容易に可能にする適応アンテナ（アンテナアレイ）を備えているならば、ＴＯＡ測定を補足するために用いられうる。移動体端末の位置は、１つのＢＳにおいて行われるＴＯＡおよび／またはＤＯＡ測定から推定されうる。」
（ｃ）“FIGURE 1 is a schematic block diagram that shows a cellular mobile radio system 100 with an integrated position determination function, in accordance with a preferred embodiment of the present invention. System 100 includes a plurality of radio BSs （an exemplary three are shown as BSl, BS2, BS3）. The radio base stations are located at different sites and connected to a wire−bound network via communication links 101. The wire−bound network can include, for example, an MSC 102 connected in turn via a Public Switched Telephone Network or PSTN （not explicitly shown） to an SN 103. The connection 104 preferably comprises trunk connections. The MSC 102 includes a look up table 109 for associating channel numbers （CHNs） with mobile terminal identities （MS−IDs）.
 　The SN 103 includes a processor 103 a, which further includes a receiving unit 103b, storing unit 103c, sending unit 103d, and respective first and second calculating units （103e, 103f）. The first calculating unit 103e calculates the TDOA of the signals received on the uplink by the radio base stations, wherein the first calculating unit 103e uses reported TO As. The second calculating unit 103f calculates the position of mobile radio terminals using the TDOA information and （optionally） any reported DOA information available. The storing unit 103c maintains the known geographical locations of the radio base stations. The receiving unit 103b and sending unit 103 d provide two−way communications with customers that request/receive position determination information （e.g., using short text messages such as the known Short Message Service messages）.
 　Figure 1 also shows a mobile radio terminal （MS） 108 whose position is to be determined. The radio base stations BSl, BS2 and BS3 listen to the traffic channel of the MS 108 via uplink radio connections 105 received over the two receiving antennas 106 of each such BS. This two−antenna capability provides space diversity for the radio traffic and also for the position determination measurements being made in accordance with the present invention. Each radio base station （BSl, BS2, BS3） includes a control section 110, and a plurality of TXRXs 111 connected to the receiving antennas 106 via a splitter 112, and the transmitting antenna 107 via a combiner 113. Moreover, each such BS includes a time reference unit 114 that receives signals preferably from an accurate time reference, such as, for example, the space−based GPS 120. The time reference signal is coupled continuously from the time reference unit 114 to the ModRX module 130. 
　 The BS of the present invention （e.g., BSl） includes a time reference unit 114 and control section 110, which is capable of serving more units in the BS than just the ModRX. Preferably, the ModRX 130 is located in a BS, but such a ModRX can also be a free−standing unit located remotely from the BS but connected to the control section 110 and time reference unit 114 of the BS. If a ModRX is located in a BS, the ModRx can share the BS's receiving antennas 106. However, if the ModRX is located remotely from the BS, the ModRX can include its own receiving antennas 106.
　 FIGURE 2 is a schematic block diagram that shows details of the ModRX 130 shown in FIGURE 1. In the preferred embodiment, the ModRX performs TOA measurements in a radio BS. In certain BSs, the ModRX can also include known DOA measurement equipment 207 to supplement the TOA measurements.
 ModRX 130 comprises a metering section 201 and radio receiver section 202. The metering section 201 may be triplicated （not explicitly shown in FIGURE 2） for use in IS−54 and IS−136 systems, in order to handle the three full−rate time slots of a frame. Conversely, the radio receiver section 202 can be shared by the triplicated metering sections 201. If the   ModRX 130 comprises a version used in a frequency− hopping system （e.g., GSM）, the control section 110 preferably inputs the frequency− hopping sequences into the receiving frequency synthesizer 211, which enables position determinations to be made on frequency−hopping traffic channels. The radio receiver section 202 also includes receivers 212, RF demodulators 213, and IF demodulators 214 coupled to the two receiving antennas 106. More details about the GSM are provided in the GSM technical specification standardized by the European Telecommunication Standards Institute （ETSI）, and the book entitled:The GSM
 System for Mobile Communication, by Michel Mouly and Marie Bernadette Pautet （International Standard Book Number 2−9507190−0−7）.
   In FIGURE 2, the metering section 201 includes a TOA−meter 203, which receives a time reference signal from time reference unit 114, and the uplink signal on which to make the TOA measurements from symbol detector 204. Symbol detector  204 receives the input signal from equalizer 205 （or a correlator, for analog channels）. The sync−word and DVCC （Digital Verification Color Code） section 206 receives from control section 110 a number identifying the radio channel on which to measure the TOA. For example, in an IS−54 or IS−136 system, each BS in a cluster of BSs has a specific DVCC and seven different sync−words allowing it to synchronize on a particular time slot of a carrier frequency. This information is entered into the sync− word and DVCC section 206 from the control section 110, which in turn, receives the information from the MSC （102）. The sync−word and DVCC section 206 couples this channel information to equalizer 205, in order to allow the equalizer to find the time slot （preferably using known correlation methods）. Optionally, if the associated radio BS includes an array antenna system （corresponding to more than two antennas 106）, the metering section 201 can include a DOA meter 207 connected only to control section 110. DOA meter 207 requests and receives from control section 110 the direction information available from the known beam−forming function in such a radio BS. Consequently, the DOA meter 207 is only relaying available information regarding the channel specified for position determination. When available, the DOA information can be utilized in the position determination algorithm in the SN to improve position determination accuracy, or enable position determinations to be made with less than three BSs involved. For example, when only the TOA and DOA from a single radio base station are available, the position of a mobile terminal can be determined where the straight line provided by the DOA intersects with the circle provided by the TOA measurements （radius equals speed of light multiplied by the propagation time of the signal from the mobile terminal to the BS）.”（１２頁１３行〜１５頁２行）
（訳文）「【００４３】図１は、本発明の実施例による、統合位置決定機能を有するセルラ移動体無線システム１００を示す概略ブロック図である。システム１００は、複数の無線ＢＳ（代表的な３つが、ＢＳ１、ＢＳ２、ＢＳ３として示されている）。これらの無線基地局は異なるサイトに位置しており、通信リンク１０１を経て有線ネットワークに接続されている。この有線ネットワークは、さらに公衆電話交換網すなわちＰＳＴＮ（明示的には示されていない）を経て、ＳＮ１０３に接続されている。接続１０４は、好ましくは中継接続を含む。ＭＳＣ１０２は、チャネル番号（ＣＨＮ）を移動体端末識別（ＭＳ−ＩＤ）に関連させるためのルックアップテーブル１０９を含む。
【００４４】ＳＮ１０３はプロセッサ１０３ａを含み、プロセッサ１０３ａはさらに、受信ユニット１０３ｂと、記憶ユニット１０３ｃと、送信ユニット１０３ｄと、第１および第２の計算ユニット（１０３ｅ、１０３ｆ）のそれぞれと、を含む。第１計算ユニット１０３ｅは、無線基地局によりアップリンク上で受信された信号のＴＤＯＡを計算し、その場合第１計算ユニット１０３ｅは、報告されたＴＯＡを用いる。第２計算ユニット１０３ｆは、移動体無線端末の位置を、ＴＤＯＡ情報と、（オプションとして）利用可能な報告されたＤＯＡ情報と、を用い移動体無線端末の位置を計算する。記憶ユニット１０３ｃは、無線基地局の既知の地理的位置を保持する。受信ユニット１０３ｂおよび送信ユニット１０３ｄは、（例えば、公知の短メッセージサービスのメッセージのような短いテキストメッセージを用いて）位置決定情報を要求／受信する顧客との双方向通信を提供する。
【００４５】図１はまた、位置を決定されるべき移動体無線端末（ＭＳ）１０８をも示している。無線基地局ＢＳ１、ＢＳ２、およびＢＳ３は、それぞれの該ＢＳの２つのアンテナ１０６上に受信されるアップリンク無線接続１０５を経て、ＭＳ１０８のトラヒックチャネルを受信する。この２アンテナ機能は、無線トラヒックに対し、かつまた本発明により行われる位置決定測定に対し、空間ダイバーシチを提供する。それぞれの無線基地局（ＢＳ１、ＢＳ２、ＢＳ３）は、制御部１１０と、スプリッタ１１２を経て受信アンテナ１０６に、またコンバイナ１１３を経て送信アンテナ１０７に接続された複数のＴＸＲＸ１１１と、を含む。さらに、それぞれの前記ＢＳは、好ましくは、例えば、宇宙ベースＧＰＳ１２０のような正確な時間基準からの信号を受信する、時間基準ユニット１１４を含む。その時間基準信号は、時間基準ユニット１１４から連続的にＭｏｄＲＸモジュール１３０へ結合せしめられる。
【００４６】本発明のＢＳ（例えば、ＢＳ１）は、時間基準ユニット１１４と、制御部１１０と、を含み、制御部１１０は、ＢＳ内の、ＭｏｄＲＸのみでなく、もっと多くのユニットにサービスしうる。好ましくは、ＭｏｄＲＸ１３０はＢＳ内に配置されるが、そのようなＭｏｄＲＸはまた、ＢＳから遠くに配置された自立ユニットでもありえ、しかし、ＢＳの制御部１１０および時間基準ユニット１１４には接続される。もしＭｏｄＲＸがＢＳ内に配置されれば、そのＭｏｄＲＸは、ＢＳの受信アンテナを共有しうる。しかし、もしＭｏｄＲＸがＢＳから遠くに配置されれば、そのＭｏｄＲＸは、それ自身の受信アンテナ１０６を含みうる。
【００４７】図２は、図１に示されているＭｏｄＲＸ１３０の詳細を示す概略ブロック図である。実施例においては、ＭｏｄＲＸは、無線ＢＳにおいてＴＯＡ測定を行う。あるＢＳにおいては、ＭｏｄＲＸはまた、ＴＯＡ測定を補足する公知のＤＯＡ測定装置２０７をも含みうる。
【００４８】ＭｏｄＲＸ１３０は、計量部２０１と、無線受信機部２０２とを含む。計量部２０１は、ＩＳ−５４およびＩＳ−１３６システムにおける使用のために３重化され（図２には、明示的に示さず）、フレームの３つの最高速タイムスロットを処理するようにされうる。逆に、無線受信機部２０２は、３重化された計量部２０１により共用されうる。もしＭｏｄＲＸ１３０が、周波数ホッピングシステム（例えば、ＧＳＭ）において用いられるバージョンを含めば、制御部１１０は、好ましくは、周波数ホッピングシーケンスを受信周波数合成器２１１へ入力し、受信周波数合成器２１１は、位置決定が周波数ホッピングトラヒックチャネル上において行われうるようにする。無線受信機部２０２はまた、２つの受信アンテナ１０６に結合した、受信機２１２と、ＲＦ復調器２１３と、ＩＦ復調器２１４と、をも含む。ＧＳＭについてのさらなる詳細は、欧州電気通信標準化機構（ＥＴＳＩ）により標準化されたＧＳＭ技術仕様と、マイケル・ムーリ（Ｍｉｃｈｅｌ  Ｍｏｕｌｙ）およびマリー・バーナデット・ポーテット（Ｍａｒｉｅ  Ｂｅｒｎａｄｅｔｔｅ  Ｐａｕｔｅｔ）著の「移動体通信のためのＧＳＭシステム（Ｔｈｅ  ＧＳＭ  Ｓｙｓｔｅｍ  ｆｏｒ  Ｍｏｂｉｌｅ  Ｃｏｍｍｕｎｉｃａｔｉｏｎ）」と題する書籍（国際標準書籍番号（Ｉｎｔｅｒｎａｔｉｏｎａｌ  Ｓｔａｎｄａｒｄ  Ｂｏｏｋ  Ｎｕｍｂｅｒ）２−９５０７１９０−０−７）と、に与えられている。
【００４９】図２において、計量部２０１は、時間基準ユニット１１４からの時間基準信号と、ＴＯＡ測定を受ける記号検出器２０４からのアップリンク信号と、を受けるＴＯＡ計２０３を含む。記号検出器２０４は、等化器２０５（または、アナログチャネル用相関器）から入力信号を受ける。同期ワードおよびＤＶＣＣ（ディジタル検査カラーコード）部２０６は、ＴＯＡ測定を受ける無線チャネルを識別する番号を制御部１１０から受ける。例えば、ＩＳ−５４またはＩＳ−１３６システムにおいては、ＢＳのクラスタ内のそれぞれのＢＳは、特定のＤＶＣＣと、それが搬送周波数の特定のタイムスロットに同期することを可能にする７つの異なる同期ワードと、を有する。この情報は、制御部１１０からＤＶＣＣ部２０６へ入力され、制御部１１０はその情報をさらにＭＳＣ（１０２）から受ける。同期ワードおよびＤＶＣＣ部２０６は、このチャネル情報を等化器２０５へ結合させ、この等化器が（好ましくは公知の相関方法を用いて）タイムスロットを見出せるようにする。オプションとして、もし関連する無線ＢＳが、（２つより多いアンテナ１０６に対応する）アレイアンテナシステムを含むならば、計量部２０１は、制御部１１０のみに接続されたＤＯＡ計２０７を含みうる。ＤＯＡ計２０７は制御部１１０から、そのようなＢＳにおける公知のビーム形成機能から得られる方向情報を要求して受ける。従って、ＤＯＡ計２０７は、位置測定のために指定されたチャネルに関して得られる情報をリレーするのみである。ＤＯＡ情報が得られる時は、それはＳＮ内の位置決定アルゴリズムにおいて利用され、位置決定精度を改善し、または、関係する３つより少ないＢＳにより位置決定が行われるようにすることができる。例えば、単一無線基地局からのＴＯＡおよびＤＯＡのみが得られる時は、ＤＯＡにより与えられる直線と、ＴＯＡ測定により与えられる円（その半径は、光速度に移動体端末からＢＳまでの信号の伝搬時間を乗じたものに等しい）との交点に、移動体端末の位置が決定されうる。」
　
・前記記載（ａ）、（ｃ）、及び図１より
（１）「単一の無線ＢＳからの無線チャネルの測定値を使用して移動体端末（ＭＳ）の位置決定をするための装置」との技術事項が読み取れる。
・前記記載（ａ）において、「ＴＯＡ距離」を測定する手段が前記記載（ｃ）におけるＴＯＡ計２０３であると解され、ＴＯＡ距離とは移動体端末から信号を受信する無線ＢＳに属するアンテナに到る伝搬時間（したがって距離）を意味することは技術常識であることを考慮すると、記載（ａ）、（ｂ）、（ｃ）及び図２から、
（２）「移動体端末と移動体端末から信号を受信する無線ＢＳに属するアンテナアレイとの間のＴＯＡ距離を測定するＴＯＡ計２０３」との技術事項が読み取れる。
・前記記載（ｂ）から、
（３）「受信された信号のアンテナアレイ出力を用いてＤＯＡ値を測定すること」との技術事項が読み取れる。
・前記記載（ａ）から、
（４）「ＴＯＡ距離とＤＯＡ値に基づいて、受信された信号から移動体端末の曖昧さのない位置決定結果を測定するための位置決定アルゴリズム」との技術事項が読み取れる。
　
  以上の技術事項（１）ないし（４）を総合勘案すると、引用例には次の発明が記載されていると認められる。
「単一の無線ＢＳからの無線チャネルの測定値を使用して移動体端末（ＭＳ）の位置決定をするための装置において、
　前記移動体端末（ＭＳ）と前記移動体端末（ＭＳ）から信号を受信する無線ＢＳに属するアンテナアレイとの間のＴＯＡ距離を測定するＴＯＡ計２０３と、
　受信された前記信号のアンテナアレイ出力を使用してＤＯＡ値を測定するようになっており、かつ前記ＴＯＡ距離と前記ＤＯＡ値に基づいて、前記受信された信号から移動体端末（ＭＳ）の曖昧さのない位置決定結果を測定するための位置決定アルゴリズムと、
　を有する装置。」（以下、「引用発明」という。）
　
３．対比
　本願発明と引用発明とを対比する。
　引用発明における「無線ＢＳ」、「無線チャネルの測定値」、「移動体端末（ＭＳ）」、「ＴＯＡ距離」、「ＴＯＡ計２０３」、「ＤＯＡ値」、及び「位置決定アルゴリズム」は、
  本願発明の「基地局」、「信号測定値」、「ワイヤレス移動体ユニット」、「距離」、「信号決定デバイス」、「信号の到着角度」、及び「位置計算器」に、それぞれ相当する。
  また、引用発明の「アンテナアレイ」も、本願発明の「マルチセクタアンテナ」も、共に、「アンテナ群」である点で共通している。
　同様に、引用発明の「アンテナアレイ出力」も、本願発明の「アンテナセクタ信号測定値」も、共に、「アンテナ群信号測定値」である点で共通している。
　
　してみると、両者の一致点、相違点は、以下のとおりである。
（一致点）
「単一の基地局からの信号測定値を使用してワイヤレス移動体ユニットの位置を決定するための装置において、
　前記ワイヤレス移動体ユニットと前記ワイヤレス移動体ユニットから信号を受信する基地局に属するアンテナ群との間の距離を決定するように適合された信号決定デバイスと、
　受信された前記信号のアンテナ群信号測定値を使用して前記信号の到着角度を決定するように適合され、かつ前記決定された距離および前記受信された信号の角度に基づいて、前記受信された信号からワイヤレス移動体ユニットの位置を決定するように適合された位置計算器とを有する装置。」
（相違点）
・相違点１：基地局に属するアンテナ群について、
  本願発明では、アンテナ群として「マルチセクタアンテナ」を用い、「別個のアンテナセクタ信号測定値」を使用して到着角度を決定しているのに対し、引用発明では、アンテナ群としてアンテナアレイを用い、アンテナアレイ出力から到着角度を決定しているものの、各アンテナアレイがセクタ毎に分かれているのか否かまでは、必ずしも明らかではない点。
・相違点２：受信した信号の測定値と信号の到着角度との対応付けについて、　本願発明では、「マルチセクタアンテナからの前記受信した信号の前記アンテナセクタ測定値を記憶するように適合されたルックアップテーブル（ＬＵＴ）とを有し、前記別個のアンテナセクタ信号測定値の組み合わせが角度測定値に対応する」とあるように、各アンテナセクタ信号測定値と角度測定値との関係を予めルックアップテーブルに記憶しておき、測定された別個のアンテナセクタ信号測定値を該ルックアップテーブルに当てはめることにより、角度測定値、すなわち、信号の到着角度を求めるようにしているのに対し、引用発明では受信したアンテナアレイ出力からどのようにしてＤＯＡ値（本願発明の「信号の到着角度」に相当する。以下、同様。）を求めるのか、必ずしも明らかではない点。
　
４．判断
　前記相違点について検討する。
（１）相違点１について
　一般に、信号源の方位を検出する方位算出技術において、方探アンテナとして、本願発明の如くマルチセクタアンテナで構成されたものを用い、別個のアンテナセクタ信号測定値から到着角度を決定することは、本願優先日当時、周知な技術事項である。この点については、原審で引用された文献であって、以下に挙げた周知文献１及び周知文献３における該当箇所を参照のこと。
　したがって、引用発明において、方探アンテナとして周知なマルチセクタアンテナを採用し、別個のアンテナセクタ信号測定値から到着角度を決定することは当業者ならば容易に想到し得たことである。
　
（２）相違点２について、
　信号源の方位を検出する方位算出技術において、本願発明の如く、受信した複数のアンテナ信号振幅値と信号の到着角度との関係を記憶するテーブル（ルックアップテーブル）を予め用意しておき、複数のアンテナ信号振幅値（アンテナ信号測定値の組み合せ）を該テーブルに当てはめて、信号の到着角度を求めるようにすることも、本願優先日当時、周知な技術事項である。この点については、原審で引用された文献であって、以下に挙げた周知文献１〜３における該当箇所を参照のこと。
　したがって、引用発明において、マルチセクタアンテナからの前記受信した信号の前記アンテナセクタ測定値を記憶するように適合されたルックアップテーブル（ＬＵＴ）を用意し、別個のアンテナセクタ信号測定値の組み合わせを角度測定値に対応づけて到着角度を算出するようにすることは、当業者ならば容易に想到し得たことである。
　そして、本願発明の作用効果も、引用発明及び周知技術から当業者が予測可能なものであって格別のものではない。
　
５．むすび
　したがって、本願発明は、引用発明及び周知技術に基づいて当業者が容易に発明をすることができたものであるから、特許法第２９条第２項の規定により特許を受けることができない。
　以上のとおりであるから、他の請求項に係る発明について審理するまでもなく、本願は拒絶すべきものである。
　よって、結論のとおり審決する。
　
【周知文献一覧】
 （１）周知文献１：国際公開第９８／３７４３０号
“According to such a method, the angle of arrival of a signal transmitted from a remote unit is determined by analyzing the amplitude differences between multiple antennas at a base site. Such a method is illustrated in FIGs. 1−2. As shown in FIG. 1 , sectorized base site 101 comprising a plurality of receive antennas 103− 113 receives signal 115 transmitted from remote unit 117. As is evident, antennas 103 and 105 in sector α will receive signal 117 at a different angle of arrival than antennas 107 and 109 in sector β. Because of this, antennas in sector α will also receive signal 117 at a different amplitude than antennas sector β. It is the difference in receive amplitudes of signal 117 at various antennas that is utilized in determining the angle of arrival of signal 117.
　FIG. 2 illustrates attenuation of signal 117 as a function of angle of arrival. As shown, at the boresight （or direction of maximum gain） the 105゜cell site antennas in sector α have approximately an 11 dB gain. At 20゜from boresight, the gain is only slightly reduced, however, antennas in sector β have a gain of only 1 dB at this angle of arrival a direction 100゜from their boresight resulting in a signal difference of 10 dB. This difference is reduced as the angle of arrival of signal 117 is shifted towards sector βaway from sector α. It is this relationship between signal amplitude at each sector antenna that is utilized in AD−AOA determination. A table look−up may be used to equate the measured amplitude difference to an angle of arrival.”（１頁２０行〜２頁７行）
（訳文）「かかる方法によれば、基地サイトにおける多数のアンテナ間の振幅差を分析することによって、遠隔装置から送信された信号の到達角度を判定する。かかる方法を第１図および第２図に示す。第１図に示すように、セクタ化された基地サイト１０１は、複数の受信アンテナ１０３〜１１３を備えており、遠隔装置１１７から送信された信号１１５を受信する。明白であるが、セクタα内のアンテナ１０３，１０５は、セクタβ内のアンテナ１０７，１０９とは異なる到達角度で信号１１７を受信する。このために、セクタα内のアンテナは、受信する信号の１１７の振幅も、セクタβ内のアンテナとは異なる。
信号１１７の到達角度を判定する際に利用するのは、種々のアンテナにおける信号１１７の受信振幅の差である。
  第２図は、信号１１７の減衰を、到達角度の関数として示す。図示のように、
ボアサイト（即ち、最大利得の方向）では、セクタα内の１０５°のセル・サイト・アンテナは、約１１ｄＢの利得を有する。ボアサイトから２０°では、利得は多少減少するのみであるが、セクタβ内のアンテナにとっては、この到達角度はそれらのボアサイトから１００°の方向であり、その利得はわずか１ｄＢであり、結果的に１０ｄＢもの信号差が生ずる。この差は、信号１１７の到達角度がセクタαからセクタβに向かってシフトするに連れて減少する。ＡＤ−ＡＯＡ判定において利用されるのは、この各セクタ・アンテナにおける信号振幅間の関係である。測定した振幅差を到達角度に等しくするには、テーブルの参照を用いることができる。」（訳文は、周知文献１のパテントファミリーである特表２００１−５１３１９６号公報によった。）
　
（２）周知文献２：特開平３−２５３８６号公報
・「（１）ｎ個（ｎ≧３）の方探アンテナのアンテナ間の振幅差に基づいて電波源の方位を検出する低周波数帯方位算出装置において、
　０゜〜３５９゜の範囲内の各方位毎（１゜毎）の上記ｎ個のアンテナの振幅値順位、及び順位間の振幅差のテーブル、あるいは０゜〜３５９゜の範囲内の各方位毎（１゜毎）の上記ｎ個のアンテナの隣同士のアンテナ間の振幅差のテーブルを持ち、
　該テーブルを用いて方位を算出することを特徴とする低周波数帯方位算出装置（特許請求の範囲（１））。」
・「〔従来の技術〕
　第７図は従来の方位算出装置を示す構或図であり、図において、１は方探アンテナ、２は方探アンテナｌで受信した電波源のアンテナ毎振幅値を検出するアンテナ毎振幅値検出器、３はその振幅値の中からｍａｘｉ振幅値を検出するｍａｘｉ振幅アンテナ検出器、４は振幅値差からテーブルを使用して方位を算出する振幅差該当方位算出器、５は振幅差該当方位テーブル、６は方位を表示する表示指示器である。」（１頁右下欄２行〜１１行）
　
（３）周知文献３：特開平３−７７０８６号公報
・「従来の方探装置の一例を第４図に示し説明する。
　図において、２１，２２・・・２４は水平面内の９０毎の方位に配置された単方向の指向特性を有する素子アンテナ、２５，２６・・・２８はこの素子アンテナ２１，２２・・・２４に各々接続されその受信レベルを検出する受信機、２９はこの受信機２５〜２８の出力である受信レベルから電磁波到来方位を算出する方位算出回路である。
　第５図は第４図における指向特性を示す特性図であり、３０，３１　・・・３３はそれぞれ素子アンテナ２１，２２・・・２４のものである。
　つぎに第４図に示す方探装置の動作を第５図を参照して説明する。
　方位Ａから電磁波が到来した場合、その電磁波は素子アンテナ２１および２２により捕捉され、受信機２５．２６によってレベル検出された後、方位算出回路２９に達する。そして、この方位算出回路２９において受信機２５．２６からの出力レベル差ΔＧ１を求め、予め設定した「レベル差対応の到来信号方位テーブル」と照合することにより、電磁波到来方位θ１が得られる。」（１頁左下欄下から４行〜右下欄下から４行）